(57)【特許請求の範囲】
【請求項１】
所定の角度で形成される格子を有する格子構造部を備え、
前記格子構造部は、
所定の角度で形成される第１格子を有する第１領域、及び、前記第１格子に対して所定の角度回転した第２格子を有する第２領域、を有し、
同じ材料で形成され、且つ、反射光を散乱させる性質を有する散乱構造部を含み、
前記散乱構造部は、
前記格子のピッチが５００ｎｍ以下で一定であって、
構造と大きさが同一の前記格子を、面内において２次元上でずらすか、又は、深さ方向にずらして形成される
ことを特徴とする凹凸構造体。
【請求項２】
前記第１領域は、背景を形成し、
前記第２領域は、視認部分を形成する
ことを特徴とする請求項１に記載の凹凸構造体。
【請求項３】
前記格子構造部は、フーリエ変換パターンの位相を２値とした場合、一方の位相の前記格子と他方の位相の前記格子をずらして形成される
ことを特徴とする請求項１又は２に記載の凹凸構造体。
【請求項４】
請求項１乃至請求項３のいずれか１項に記載された凹凸構造体と、
前記凹凸構造体の表面に形成される屈折率層と、
前記屈折率層の表面に形成される接着層と、
を備えることを特徴とするセキュリティ媒体。
【請求項５】
請求項１乃至請求項３のいずれか１項に記載された凹凸構造体を有する
ことを特徴とするセキュリティドキュメント。
【発明の詳細な説明】
【技術分野】
【０００１】
本発明は、物品等に貼付又は転写することで、物品の偽造を防止する凹凸構造体及びセキュリティ媒体に関するものである。
【背景技術】
【０００２】
従来、０次回折光を利用して、観察方向によって色が変化する減光フィルターが開示されている（特許文献１参照）。
【先行技術文献】
【特許文献】
【０００３】
【特許文献１】特表昭５８−５００９１６号公報
【発明の概要】
【発明が解決しようとする課題】
【０００４】
しかしながら、特許文献１に開示された構造体では、このまま観察すると、反射光がまぶしく赤色又は緑色を観察できる角度範囲が狭くなるという問題があった。【０００５】
本発明は、簡単な構造であって、低コストで容易に製造できると共に、視認性を向上させることが可能な凹凸構造体及びセキュリティ媒体を提供する。
【課題を解決するための手段】
【０００６】
上記目的を達成する本発明にかかる凹凸構造体は、
所定の角度で形成される格子を有する格子構造部を備え、
前記格子構造部は、
所定の角度で形成される第１格子を有する第１領域、及び、前記第１格子に対して所定の角度回転した第２格子を有する第２領域、を有し、
同じ材料で形成され、且つ、反射光を散乱させる性質を有する散乱構造部を含み、
前記散乱構造部は、
前記格子のピッチが５００ｎｍ以下で一定であって、
構造と大きさが同一の前記格子を、面内において２次元上でずらすか、又は、深さ方向にずらして形成される
ことを特徴とする。
【０００７】
また、本発明にかかる凹凸構造体は、
前記第１領域は、背景を形成し、
前記第２領域は、視認部分を形成する
ことを特徴とする。
【０００８】
また、本発明にかかる凹凸構造体は、
前記格子構造部は、フーリエ変換パターンの位相を２値とした場合、一方の位相の前記格子と他方の位相の前記格子をずらして形成される
ことを特徴とする。
【００１３】
また、本発明にかかるセキュリティ媒体は、
前記凹凸構造体と、
前記凹凸構造体の表面に形成される屈折率層と、
前記屈折率層の表面に形成される接着層と、
を備えることを特徴とする。【００１４】
また、本発明にかかるセキュリティドキュメントは、
前記凹凸構造体を有する
ことを特徴とする。
【発明の効果】
【００１５】
本発明によれば、簡単な構造であって、低コストで容易に製造できると共に、視認性を向上させることが可能な凹凸構造体及びセキュリティ媒体を提供することが可能となる。
【図面の簡単な説明】
【００１６】
【図１】本実施形態の凹凸構造体を所定の方向から見た図である。
【図２】本実施形態の凹凸構造体を所定の方向から９０°回転させて見た図である。
【図３】フーリエ変換パターンの位相情報にしたがって格子を形成した本実施形態の凹凸構造体を含むセキュリティ媒体の一例を示す。
【図４】第１実施形態の散乱構造部を含む格子構造部を示す。
【図５】第２実施形態の散乱構造部を含む格子構造部を示す。
【図６】第３実施形態の散乱構造部を含む格子構造部を示す。
【図７】他の実施形態の散乱構造部を含む格子構造部を示す。
【発明を実施するための形態】
【００１７】
以下、図面を参照にして本発明にかかる凹凸構造体について説明する。
【００１８】
図１は、本実施形態の凹凸構造体を所定の方向から見た図である。図２は、本実施形態の凹凸構造体を所定の方向から９０°回転させて見た図である。
【００１９】
本実施形態では、一例として、図１に示すように、凹凸構造体１は、背景を構成する第１領域１ａと、文字を構成する第２領域１ｂと、を有する。一例として、本実施形態では、図１の状態において、第１領域１ａは、縦格子の第１格子１１で形成され、第２領域１ｂは、縦格子に対して９０°回転した横格子の第２格子１２で形成される。
【００２０】
第１格子１１は、格子ピッチ３７０ｎｍ、深さ１００ｎｍ程度で形成し、図１の状態で赤色に見える第１領域１ａを形成する。第２格子１２は、格子ピッチ３７０ｎｍ、深さ１００ｎｍ程度で形成し、図１の状態で緑色に見える第２領域１ｂを形成する。
【００２１】
このように形成された凹凸構造体１を、図１の状態から図２の状態に９０°回転させると、第１格子１１は、横格子となり、第２格子１２は、横格子に対して９０°回転した縦格子となる。そして、第１格子１１は、図２の状態で緑色に見える第１領域１ａとなり、第２格子１２は、図２の状態で赤色に見える第２領域１ｂとなる。
【００２２】
なお、本実施形態では、第１格子１１と第２格子１２を赤と緑に見えるように形成したが、これに限らず、格子のピッチ又は深さ等を調整して、他の色に変えてもよい。その際、格子のピッチは、なるべく可視光の波長と同等又はそれ以下の長さにすることが好ましい。例えば、５００ｎｍ以下であることが好ましい。
【００２３】
このように形成された凹凸構造体１は、このまま観察すると、反射光がまぶしく赤色又は緑色を観察できる角度範囲が狭い。したがって、本実施形態では、反射光を散乱させる構造を用いる。反射光を散乱させる構造としては、従来のように拡散層を追加する構造では、厚さが厚くなり、使用する材料が増えることでコストも増加してしまうので、本実施形態では格子構造によって反射光を散乱させる。以下、散乱構造について説明する。
【００２４】
本実施形態の凹凸構造体１では、フーリエ変換パターン等に格子を形成することで、散乱構造部を形成し、減光機能と拡散機能を凹凸形状のみで実現することが可能である。
【００２５】
図３は、フーリエ変換パターンの位相情報にしたがって格子を形成した本実施形態の凹凸構造体１を含むセキュリティ媒体１００の一例を示す。
【００２６】
本実施形態のセキュリティ媒体１００に含まれる凹凸構造体１は、格子構造部１０をフーリエ変換パターン２０の位相情報にしたがって形成する際に、格子構造部１０の一部を他の部分と異なる構造に形成することによって、散乱作用を有する散乱構造部を形成する。格子構造部１０が形成されたフーリエ変換パターン２０の表面には屈折率層が蒸着される。本実施形態では、一例として、屈折率２．３の硫化亜鉛ＺｎＳの高屈折率層３０が約１００ｎｍ蒸着されている。なお、高屈折率層３０は、硫化亜鉛ＺｎＳに限らず、酸化チタン等の高屈折率材料であればよい。高屈折率層３０の上には、接着層として、例えばヒートシール層４０が形成される。
【００２７】
また、凹凸構造体１及び高屈折率層３０はヒートシール層４０を介して被着体６０と貼り合わされている。被着体６０としては、ＩＤ証、免許証、パスポート、紙幣、金券、通帳、公的証書、ブランドプロテクションラベル等の偽造防止が必要な物品（すなわち、「セキュリティドキュメント（Security Document）」ともいう。）が挙げられる。
【００２８】
なお、図示していないが、基材上に凹凸構造体１、高屈折率層３０、ヒートシール層４０を形成することにより凹凸構造体転写箔とすることができる。凹凸構造体転写箔のヒートシール層４０を被着体６０に接触させた後、基材を剥離することによりセキュリティ媒体１００を得ることができる。なお、凹凸構造体転写箔の基材を剥離しやすくするために、基材と凹凸構造体１の間に剥離層を設けてもよい。上記の通り、セキュリティ媒体１００及び凹凸構造体転写箔についての説明をしてきたが、上記の構成に限定されず、他の構成を適宜追加することができる。
【００２９】
フーリエ変換パターンは、特開２００１−３３７５８４号公報又は特開２０１１−１２３２６６号公報に記載された方法で形成すればよい。また、凹凸構造体１は、特開２００７−１５１９６号公報に記載されたように、フーリエ変換パターンが施された凹凸構造体１を透過又は反射して点光源を観察するか、又は凹凸構造体１にレ−ザー光を入射してその透過光又は反射光を観察すると、所定の画像を観察することができるように、形成してもよい。
【００３０】
図４は、第１実施形態の散乱構造部を含む格子構造部を示す。
【００３１】
第１実施形態の格子構造部１０は、第１単位構造部１０ａと、第２単位構造部１０ｂと、を有する。第１単位構造部１０ａと第２単位構造部１０ｂは、フーリエ変換パターンの位相情報にしたがって、格子の左右又は上下の位置を、格子を形成する面内において２次元上でずらし、散乱構造部としたものである。例えば、第１実施形態の格子構造部１０では、フーリエ変換パターンの位相を０とπの２値とした場合、図４に示すように、位相０の部分に第１単位構造部１０ａを形成し、位相πの部分に、格子ピッチの半分だけ格子線と直交する方向にずらした第２単位構造部１０ｂを形成する。
【００３２】
このように本実施形態の凹凸構造体１は、フーリエ変換パターンの位相情報にしたがって格子を形成することで、散乱層を追加することなく、一回の工程で、散乱構造部を含む格子を形成することができ、簡単な構造であって、低コストで容易に製造でき、視認性を向上させることが可能となる。
【００３３】
図５は、第２実施形態の散乱構造部を含む格子構造部を示す。
【００３４】
第２実施形態の格子構造部１０は、第１単位構造部１０ａ及び第２単位構造部１０ｂの少なくとも一部に無格子部を有する。例えば、第２実施形態の格子構造部１０では、フーリエ変換パターンの位相を０とπの２値とした場合、図５に示すように、位相０の部分に第１単位構造部１０ａを形成し、位相πの部分には、格子を形成しない無格子部１０ｃとし、第１単位構造部１０ａ、第２単位構造部１０ｂ、及び無格子部１０ｃで散乱構造部とする。なお、無格子部１０ｃは、第１単位構造部１０ａ及び第２単位構造部１０ｂの少なくとも一部にあればよい。
【００３５】
このように本実施形態の凹凸構造体１は、フーリエ変換パターンの位相情報にしたがって格子を形成することで、散乱層を追加することなく、一回の工程で、散乱構造部を含む格子を形成することができ、さらに簡単な構造であって、低コストで容易に製造でき、視認性を向上させることが可能となる。
【００３６】
図６は、第３実施形態の散乱構造部を含む格子構造部を示す。
【００３７】
第３実施形態の格子構造部１０は、第１単位構造部１０ａと、第２単位構造部１０ｂと、を有する。第１単位構造部１０ａと第２単位構造部１０ｂは、フーリエ変換パターンの位相情報にしたがって、格子の深さ方向にずらし、形状を異ならせ、散乱構造部としたものである。例えば、第３実施形態の格子構造部１０では、フーリエ変換パターンの位相を０とπの２値とした場合、図６に示すように、位相０の部分に第１単位構造部１０ａを形成し、位相πの部分に、深さ方向に例えば９０ｎｍずらし、形状を異ならせた第２単位構造部１０ｂを形成する。
【００３８】
このように本実施形態の凹凸構造体１は、フーリエ変換パターン２０の位相情報にしたがって格子を形成することで、散乱層を追加することなく、一回の凹凸構造の複製工程で、散乱構造部を含む格子を形成することができ、簡単な構造であって、低コストで容易に製造でき、視認性を向上させることが可能となる。
【００３９】
図７は、他の実施形態の散乱構造部を含む格子構造部を示す。
【００４０】
図７に示す実施形態の格子構造部１０は、散乱パターン５０に格子を形成する。散乱パターン５０は、表面に形成された微細な凸部５１を散乱要素とする構造である。なお、図７では、格子構造を凸部５１の上面のみに示したが、凹部５２に格子構造を形成してもよい。すなわち、凸部５１と凹部５２の少なくとも１つに形成されればよい。
【００４１】
このように本実施形態の凹凸構造体１は、散乱パターン５０上に格子を形成することで、散乱層を追加することなく、一回の工程で、散乱構造部を含む格子を形成することができ、簡単な構造であって、低コストで容易に製造でき、視認性を向上させることが可能となる。
【００４２】
以上、本実施形態の凹凸構造体１によれば、所定の角度で形成される格子を有する格子構造部１０を備え、格子構造部１０は、光を散乱させる性質を有する散乱構造部２０，５０を含むので、簡単な構造であって、低コストで容易に製造できると共に、視認性を向上させることが可能となる。
【００４３】
また、本実施形態の凹凸構造体１によれば、格子構造部１０は、第１単位構造部１０ａと、第１単位構造部１０ａに対して異なる構成の第２単位構造部１０ｂと、を有し、散乱構造部２０，５０は、第１単位構造部１０ａと第２単位構造部１０ｂの異なる構造によって散乱作用が生じるように形成されるので、さらに簡単な構造であって、低コストで容易に製造することが可能となる。
【００４４】
第１単位構造部１０ａ及び第２単位構造部１０ｂは、フーリエ変換パターンの位相情報にしたがって形成されるので、さらに視認性を向上させることが可能となる。
【００４５】
また、本実施形態の凹凸構造体１によれば、第１単位構造部１０ａに対して第２単位構造部１０ｂは、少なくとも一部が２次元方向にずらして形成されるので、さらに簡単な構造であって、低コストで容易に製造できると共に、視認性を向上させることが可能となる。
【００４６】
また、本実施形態の凹凸構造体１によれば、第１単位構造部１０ａ又は第２単位構造部１０ｂのうち少なくとも一方は、少なくとも一部に無格子部分を有するので、さらに簡単な構造であって、低コストで容易に製造できると共に、視認性を向上させることが可能となる。
【００４７】
また、本実施形態の凹凸構造体１によれば、第１単位構造部１０ａに対して第２単位構造部１０ｂは、少なくとも一部の形状が異なるので、さらに簡単な構造であって、低コストで容易に製造できると共に、視認性を向上させることが可能となる。
【００４８】
また、本実施形態の凹凸構造体１によれば、格子構造部１０は、所定の角度で形成される第１格子１１を有する第１領域１ａ、及び、第１格子１１に対して所定の角度回転した第２格子１２を有する第２領域１ｂ、を有するので、さらに視認性を向上させることが可能となる。
【００４９】
さらに、本実施形態のセキュリティ媒体によれば、凹凸構造体１と、凹凸構造体１の表面に形成される高屈折率層３０と、高屈折率層３０の表面に形成されるヒートシール層４０と、を備えるので、簡単な構造であって、低コストで容易に製造でき、視認性を向上させることが可能となる。
【００５０】
以上、凹凸構造体及びセキュリティ媒体をいくつかの実施例に基づいて説明してきたが、本発明はこれら実施例に限定されず種々の組み合わせ又は変形が可能である。
【符号の説明】
【００５１】
１…凹凸構造体
１ａ…第１領域
１ｂ…第２領域
１１…第１格子
１２…第２格子
１０…格子構造部
１０ａ…第１単位構造部
１０ｂ…第２単位構造部
２０…フーリエ変換パターン（散乱構造部）
３０…高屈折率層
４０…ヒートシール層（接着層）
５０…散乱パターン（散乱構造部）
１００…セキュリティ媒体
【図１】
0006044815.tif 000002
【図２】
0006044815.tif 000003
【図３】
0006044815.tif 000004
【図４】
0006044815.tif 000005
【図５】
0006044815.tif 000006
【図６】
0006044815.tif 000007
【図７】
0006044815.tif 000008